(57)【要約】移動体通信機器の薄型化を図ることができると共に、非接触通信用アンテナと、移動体通信機器の内部に配置された基板配線、基板ＧＮＤ及びシールドケース等の金属物とが近接した状態で配置されても、非接触通信用アンテナの通信距離特性の低下を抑止することができる非接触通信用アンテナユニットを提供すること。非接触通信用基板８の一方の面上に各々配置された非接触通信用アンテナ９及び磁性シート１１と、非接触通信用基板８の他方の面上に各々配置された非接触通信用電子部品１０及び磁性シート１２とを備え、磁性シート１１及び磁性シート１２は、非接触通信用アンテナ９と非接触通信用電子部品１０とを分離するように、非接触通信用基板８に配置する。【特許請求の範囲】
【請求項１】
非接触通信用基板と、
前記非接触通信用基板の一方の面上に配置された非接触通信用アンテナと、
前記非接触通信用基板の他方の面上に配置された非接触通信用電子部品と、
前記非接触通信用基板の一方の面上の前記非接触通信用アンテナの空間部に配置された第１の磁性シートと、
前記非接触通信用基板の他方の面上の前記非接触通信用電子部品の周辺部に配置された第２の磁性シートとを有するアンテナユニット。
【請求項２】
前記非接触通信用基板は、スリットを有し、
前記第１の磁性シート及び前記第２の磁性シートは、前記スリットを覆うように配置されたことを特徴とする請求項１記載の非接触通信用アンテナユニット。
【請求項３】
前記第２の磁性シートは、内側に空間部を有しており、
前記第１の磁性シートの周辺部及び前記第２の磁性シートの空間部の周辺部のうち少なくとも一方の周辺部を前記スリットに挿入し、前記第１の磁性シートの周辺部と前記第２の磁性シートの周辺部とを固着したことを特徴とする請求項２記載の非接触通信用アンテナユニット。
【請求項４】
内側に空間部を有するフレキシブル基板と、
前記フレキシブル基板の空間部内に隙間が生じるように配置された非接触通信用基板と、前記フレキシブル基板の一方の面上に配置された非接触通信用アンテナと、
前記非接触通信用基板の一方の面上に配置された第１の磁性シートと、
前記フレキシブル基板の他方の面と同一側に位置する前記非接触通信用基板の他方の面上に配置された非接触通信用電子部品と、
内側に空間部を有し、前記フレキシブル基板の他方の面上に配置された第２の磁性シートとを備え、
前記第１の磁性シートの周辺部及び前記第２の磁性シートの空間部の周辺部のうち少なくとも一方の周辺部を前記隙間に挿入し、前記第１の磁性シートの周辺部と前記第２の磁性シートの周辺部とを固着したことを特徴とする非接触通信用アンテナユニット。
【請求項５】
請求項１乃至４のいずれかに記載の非接触通信用アンテナユニットを有することを特徴とする移動体通信機器。
【請求項６】
前記移動体通信機器は、携帯電話機であることを特徴とする請求項５に記載の移動体通信機器。
【発明の詳細な説明】
【技術分野】
【０００１】  本発明は、非接触通信用アンテナユニット及びこれを備えた移動体通信機器に関するものである。
【背景技術】
【０００２】  近年、非接触通信機能を備えた移動体通信機器は、コンビニエンスストア等における代金の支払いや、遊園地や劇場等における入場証として利用されている。【０００３】  このような移動体通信機器は、非接触通信機能を備えるために、非接触通信用アンテナユニットを内蔵しており、劇場等に設置されている外部非接触通信機器に内蔵されたリーダライタ用アンテナとの間で、双方向通信が行えるようになっている。【０００４】  従来の移動体通信機器は、移動体通信機器の内部に配置されたシールドケースや金属部品等の影響を避けるために、軟磁性体電波吸収体に覆われた非接触通信用アンテナと、非接触通信用アンテナのために機能する電子部品とを異なる基板上に配置し、フレキシブル基材によって接続することで、非接触通信機能を動作させている（例えば、特許文献１参照）。
【特許文献１】特開２００４−１５３４６３号公報
【発明の開示】
【発明が解決しようとする課題】
【０００５】  しかしながら、従来の移動体通信機器においては、非接触通信用アンテナと、非接触通信用アンテナのために機能する電子部品や他の電子部品とを別基板上に配置し、フレキシブル基材によって接続する構造となっているため、移動体通信機器に内蔵するとスペースを取ってしまい、移動体通信機器が厚くなってしまうという課題があった。【０００６】  本発明は、従来の問題を解決するためになされたもので、移動体通信機器の薄型化を図ることができると共に、通信距離性能の低下を抑止することのできる非接触通信用アンテナユニット及びこれを備えた移動体通信機器を提供することを目的とする。
【課題を解決するための手段】
【０００７】  本発明の非接触通信用アンテナユニットは、非接触通信用基板と、前記非接触通信用基板の一方の面上に配置された非接触通信用アンテナと、前記非接触通信用基板の他方の面上に配置された非接触通信用電子部品と、前記非接触通信用基板の一方の面上の前記非接触通信用アンテナの空間部に配置された第１の磁性シートと、前記非接触通信用基板の他方の面上の前記非接触通信用電子部品の周辺部に配置された第２の磁性シートとを備え、前記第１の磁性シート及び前記第２磁性シートが、前記非接触通信用アンテナと前記非接触通信用電子部品とを分離するように配置された構成を有する。【０００８】  この構成により、移動体通信機器の薄型化を図ることができると共に、通信距離性能の低下を抑止することができる。【０００９】  また、本発明の非接触通信用アンテナユニットは、前記非接触通信用基板が、スリットを有し、前記第１の磁性シート及び前記第２の磁性シートが、前記スリットを覆い、前記非接触通信用アンテナと前記非接触通信用電子部品とを分離するように配置された構成を有する。【００１０】  この構成により、移動体通信機器の薄型化を図ることができると共に、通信距離性能の低下を抑止することができる。また、非接触通信用基板に磁性シートを配置する時に、スリットが目安となるため、磁性シートの貼りずれを防止することができ、非接触通信用アンテナユニットを容易に組み立てることができる。【００１１】  また、本発明の非接触通信用アンテナユニットは、前記第２の磁性シートが、内側に空間部を有しており、前記第１の磁性シートの周辺部及び前記第２の磁性シートの空間部の周辺部のうち少なくとも一方の周辺部を前記スリットに挿入し、前記第１の磁性シートの周辺部と前記第２の磁性シートの周辺部とを固着した構成を有する。【００１２】  この構成により、移動体通信機器の薄型化を図ることができると共に、通信距離性能の低下を抑止することができる。また、非接触通信用基板に磁性シート同士を固着するため、磁性シートの位置ずれを防止することができる。【００１３】  また、本発明の非接触通信用アンテナユニットは、内側に空間部を有するフレキシブル基板と、前記フレキシブル基板の空間部内に隙間が生じるように配置された非接触通信用基板と、前記フレキシブル基板の一方の面上に配置された非接触通信用アンテナと、前記非接触通信用基板の一方の面上に配置された第１の磁性シートと、前記フレキシブル基板の他方の面と同一側に位置する前記非接触通信用基板の他方の面上に配置された非接触通信用電子部品と、内側に空間部を有し、前記フレキシブル基板の他方の面上に配置された第２の磁性シートとを備え、前記第１の磁性シートの周辺部及び前記第２の磁性シートの空間部の周辺部のうち少なくとも一方の周辺部を前記隙間に挿入し、前記第１の磁性シートの周辺部と前記第２の磁性シートの周辺部とを固着した構成を有する。【００１４】  この構成により、移動体通信機器の薄型化を図ることができると共に、通信距離性能の低下を抑止することができる。【００１５】  また、本発明の移動体通信機器は、前記非接触通信用アンテナユニットを備えた構成を有する。【００１６】  この構成により、移動体通���機器の薄型化を図ることができると共に、非接触通信用アンテナに対する、移動体通信機器の内部に備えた金属物の影響を抑止することができ、通信距離性能の低下を抑止することができる。【００１７】  また、本発明の移動体通信機器は、前記移動体通信機器が携帯電話機である構成を有する。【００１８】  この構成により、携帯電話機の薄型化を図ることができると共に、非接触通信用アンテナに対する、携帯電話機の内部に備えた金属物の影響を抑止することができ、通信距離性能の低下を抑止することができる。
【発明の効果】
【００１９】  本発明は、移動体通信機器の薄型化を図ることができると共に、通信距離性能の低下を抑止することのできる非接触通信用アンテナユニット及びこれを備えた移動体通信機器を提供することができるものである。
【図面の簡単な説明】
【００２０】
【図１】本発明の実施の形態１における非接触通信用アンテナユニットの一部切欠断面図
【図２】本発明の実施の形態１における非接触通信用アンテナユニットを備えた携帯電話機の使用例を示す図
【図３】本発明の実施の形態１における非接触通信用アンテナユニットの平面図
【図４】本発明の実施の形態２における非接触通信用アンテナユニットの平面図
【図５】本発明の実施の形態２における非接触通信用アンテナユニットをアンテナ側から見た場合の分解斜視図
【図６】本発明の実施の形態２における非接触通信用アンテナユニットをアンテナ側と反対側から見た場合の分解斜視図
【図７】本発明の実施の形態２における非接触通信用アンテナユニットの一部切欠断面図
【図８】本発明の実施の形態２における非接触通信用アンテナユニットの変形例の一部切欠断面図
【図９】本発明の実施の形態２における非接触通信用アンテナユニットの変形例の一部切欠断面図
【図１０】本発明の実施の形態２における非接触通信用アンテナユニットをアンテナ側から見た場合の変形例の分解斜視図
【図１１】本発明の実施の形態２における非接触通信用アンテナユニットをアンテナ側と反対側から見た場合の変形例の分解斜視図
【図１２】本発明の実施の形態３における非接触通信用アンテナユニットの平面図
【図１３】本発明の実施の形態３における非接触通信用アンテナユニットをアンテナ側から見た場合の分解斜視図
【図１４】本発明の実施の形態３における非接触通信用アンテナユニットをアンテナ側と反対側から見た場合の分解斜視図
【図１５】本発明の実施の形態３における非接触通信用アンテナユニットの一部切欠断面図
【図１６】本発明の実施の形態３における非接触通信用アンテナユニットの変形例の一部切欠断面図を示す図
【図１７】本発明の実施の形態３における非接触通信用アンテナユニットの変形例の一部切欠断面図を示す図
【符号の説明】
【００２１】  １  携帯電話機
２  上筐体
３  下筐体
４  携帯電話機用基板
５  非接触通信用アンテナユニット
６  外部非接触通信機器
７  リーダライタ用アンテナ
８  非接触通信用基板
９  非接触通信用アンテナ
１０  非接触通信用電子部品
１１  磁性シート
１２  磁性シート
１３  スリット
１４  切り込み
１５  磁性シート１２の空間部
１６  フレキシブルプリント基板
１７  隙間
【発明を実施するための最良の形態】
【００２２】  以下、本発明の実施の形態について、図面を用いて説明する。【００２３】  （実施の形態１）
図２は、本発明の実施の形態１における非接触通信用アンテナユニットを備えた携帯電話機の例を示す図である。【００２４】  図２において、移動体通信機器である携帯電話機１は、上筐体２と下筐体３とを有し、下筐体３内に携帯電話機として動作するために必要な電子部品及び金属シールドケースが配置された携帯電話機用基板４と、非接触通信を行うために必要な非接触通信用アンテナユニット５とを備えている。ここでは、折り畳み形状の携帯電話機を例として説明するが、これに限定されるものではなく、ストレート形状の携帯電話機や、上筐体と下筐体とが回転式、スライド式等の構成を有する携帯電話機でもよい。【００２５】  外部非接触通信機器６は、非接触通信機能を備えた携帯電話１と非接触通信を行うためのリーダライタ用アンテナ７を備えている。【００２６】  携帯電話機１は、通信相手である外部非接触通信機器６に近接することにより、非接触通信用アンテナユニット５とリーダライタ用アンテナ７とが磁気的に結合して、非接触通信を行う。【００２７】  図３は、携帯電話機１の下筐体３内に備えられた非接触通信用アンテナユニット５の平面図を示す。【００２８】  図３において、非接触通信用アンテナユニット５は、非接触通信用基板（以下、基板という）８、非接触通信用アンテナ（以下、アンテナという）９、非接触通信用電子部品（以下、電子部品という）１０、磁性シート１１及び磁性シート１２から構成されている。【００２９】  基板８において、図２のリーダライタ用アンテナ７との通信側の面上には、内側に空間部を有するアンテナ９が配置されており、そのアンテナ９の空間部に磁性シート１１が配置されている。一方、基板８のアンテナ９側と反対側の面上には、その中央部に電子部品１０が配置されており、その電子部品１０の周辺部に磁性シート１２が配置されている。【００３０】  アンテナ９は、一般的に使用される渦巻き形状のループアンテナを用いている。ここで、ループアンテナのアンテナパターンの内側中央部に開いた部分を空間部という。また、アンテナ９のターン数として３ターンの場合を例示しているが、ターン数はこれに限定されるものではなく、３ターン以外でももちろんよい。【００３１】  電子部品１０は、非接触通信用ＬＳＩ、非接触通信用ＬＳＩ発振子、抵抗、コンデンサ及びコイル等からなり、基板８の中央部に配置されている。【００３２】  磁性シート１１、１２は、ここでは例として、近接型非接触通信用の通信周波数帯である１３．５６ＭＨｚ帯に対して最適な通信距離性能が得られる磁性粉末によって構成されているものとする。【００３３】  図１は、図３におけるＡ−Ａ線に沿って切断した一部切欠拡大断面図を示す。【００３４】  図１に示されているように、磁性シート１１及び磁性シート１２は、基板８を挟んで互いが重ね合わさる部分を設けて配置されているため、アンテナ９と電子部品１０とを分離することができる。これにより、基板８のアンテナ９側と反対側の面上に配置された電子部品１０、電子回路配線（図示せず）及び電子回路ＧＮＤ（図示せず）等の金属物が、アンテナ９に及ぼす影響を抑止し、アンテナ９の通信距離を確保することができる。また、磁性シート１２を用いて磁束を集束さ��ることにより、下筐体３内に配置された携帯電話機用基板４上の金属シールドケース等に渦電流が発生して、アンテナ９内周部の磁界強度が減衰してしまうことを抑止し、アンテナ９の通信距離を確保することができる。【００３５】  以上のように、本発明の実施の形態１の非接触通信用アンテナユニットを備えた移動体通信機器によれば、アンテナ９と電子部品１０とを同一の基板８上の反対側に配置し、アンテナ９と電子部品１０とを磁性シート１１及び磁性シート１２で分離するようにしたので、移動体通信機器の薄型化を図ることができると共に、通信距離性能の低下を抑止することができる。【００３６】  （実施の形態２）
本発明の実施の形態２は、非接触通信用アンテナユニットを構成する非接触通信用基板にスリットを設ける場合を例として説明する。【００３７】  図４は、本実施の形態２における非接触通信用アンテナユニット５の平面図を示す。なお、本実施の形態２の非接触通信用アンテナユニット５の各構成において、実施の形態１の非接触通信用アンテナユニット５の各構成と同一なものについては、同一の符号を付して説明を省略する。【００３８】  図４に示すように、非接触通信用アンテナユニット５を構成する基板８には、スリット１３が複数設けられており、各スリット１３は、アンテナ９の内側で且つ電子部品１０の周囲に位置する場所に配置されている。【００３９】  磁性シート１１は、基板８に設けられた各スリット１３を覆う大きさを有しており、その周辺部には切り込み１４により形成された折り曲げ部１１ａが複数設けられている（図５参照）。そして、磁性シート１１の折り曲げ部１１ａは、折線１１ｂから内側に折り曲げられて、スリット１３内にそれぞれ挿入される。【００４０】  また、磁性シート１２は、図４において図示していないが、内側に空間部１５を有しており、基板８に設けられた全てのスリット１３を覆い、且つ外周が基板８と同じ大きさを有し、内側の空間部１５の周辺部には、切り込み１４により形成された折り曲げ部１２ａが複数設けられている（図６参照）。そして、磁性シート１２の折り曲げ部１２ａは、折線１２ｂから内側に折り曲げられ、各スリット１３内にそれぞれ挿入される。【００４１】  図５は、基板８と磁性シート１１との配置関係を示す分解斜視図、図６は、基板８と磁性シート１２との配置関係を示す分解斜視図である。【００４２】  図５において、磁性シート１１は、折り曲げ部１１ａを各スリット１３内に挿入して配置することで、基板８に対し、貼りずれを防止して、正確に配置することができる。【００４３】  図６において、磁性シート１２は、内側に空間部１５が設けられているため、基板８に配置されている電子部品１０と重ならないように配置されている。【００４４】  図７は、図４におけるＢ−Ｂ線に沿って切断した一部切欠拡大断面図を示す。【００４５】  図７に示すように、磁性シート１１の折り曲げ部１１ａと、磁性シート１２の折り曲げ部１２ａとは、スリット１３内に挿入されて重ね合わされ、重ね合わされた部分が接着剤（図示せず）等により固着されている。【００４６】  なお、上記実施の形態２では、スリット１３内で磁性シート１１、１２の折り曲げ部１１ａ、１２ａを重ね合わせて接着した場合を例として説明したが、これに限定されるものではない。すなわち、図８に示すように、磁性シート１１の折り曲げ部１１ａをスリット１３内に挿入して貫通し、磁性シート１１の折り曲げ部１１ａと磁性シート１２の空間部の周辺部とをスリット１３外で接着してもよい。また、図９に示すように、磁性シート１２の折り曲げ部１２ａをスリット１３内に挿入して貫通し、磁性シート１２の折り曲げ部１２ａと磁性シート１１の周辺部とをスリット１３外で接着してもよい。【００４７】  なお、また、上記実施の形態２では、磁性シート１１、１２に切り込み１４を設けて折り曲げ部１１ａ、１２ａを形成した場合��例として説明したが、これに限定されるものではない。すなわち、図１０に示すように、切り込みを設けず、磁性シート１１の周辺部に凸部１１ｃを設けて、その凸部１１ｃをスリット１３内に挿入してもよい。また、図１１に示すように、磁性シート１２の空間部１５の周辺部に凸部１２ｃを設けて、その凸部１２ｃをスリット１３内に挿入してもよい。図５及び図６に示した切り込みを設けることにより、スリット内に挿入する磁性シートを容易に形成することができる。また、図１０及び図１１に示した凸部を設けることにより、スリット内に磁性シートを容易に挿入することができ、非接触通信用アンテナユニットを容易に組み立てることができる。【００４８】  図７に示すように、磁性シート１１及び磁性シート１２は、スリット１３を利用して、互いに重ね合わさるように配置されているため、アンテナ９と電子部品１０とを分離することができる。これにより、基板８のアンテナ９側と反対側の面上に配置された電子部品１０、電子回路配線及び電子回路ＧＮＤ等の金属物が、アンテナ９に及ぼす影響を抑止し、アンテナ９の通信距離を確保することができる。また、磁性シート１２により、下筐体３内に配置された携帯電話機用基板４上の金属シールドケース等に渦電流が発生して、アンテナ９内周部の磁界強度が減衰してしまうことを抑止し、アンテナ９の通信距離を確保することができる。【００４９】  以上のように、本発明の実施の形態２の非接触通信用アンテナユニットを備えた移動体通信機器によれば、アンテナ９と電子部品１０とを同一の基板８上の反対側に配置し、スリット１３を利用して、アンテナ９と電子部品１０とを磁性シート１１及び磁性シート１２で分離するようにしたので、移動体通信機器の薄型化を図ることができると共に、通信距離性能の低下を抑止することができる。【００５０】  （実施の形態３）
本発明の実施の形態３は、非接触通信用アンテナをフレキシブルプリント基板に配置する場合を例として説明する。【００５１】  図１２は、本実施の形態３における非接触通信用アンテナユニット５の平面図を示す。なお、本実施の形態３の非接触通信用アンテナユニット５の各構成において、実施の形態１の非接触通信用アンテナユニット５の各構成と同一なものについては、同一の符号を付して説明を省略する。【００５２】  図１２に示すように、本実施の形態３では、内側に空間部を有するフレキシブルプリント基板（以下、ＦＰＣという）１６の面上にアンテナ９が配置されている。基板８は、ＦＰＣ１６の空間部に、ＦＰＣ１６と隙間１７を設けて配置され、ＦＰＣ１６上のアンテナ９と基板８上の電子部品１０とが半田付け等で接続されている。また、基板８には、ＦＰＣ１６のアンテナ９が配置された側とは反対側の面上に電子部品１０が配置されている。【００５３】  磁性シート１１は、基板８とＦＰＣ１６との隙間１７を覆う大きさを有しており、その周辺部には切り込み１４により形成された折り曲げ部１１ａが設けられている（図１３参照）。そして、磁性シート１１の折り曲げ部１１ａは、周辺部が内側に折り曲げられて、その隙間１７に挿入される。【００５４】  また、磁性シート１２は、図１２において図示していないが、内側に空間部１５を有しており、基板８とＦＰＣ１６との隙間１７を全て覆い、且つ外周がＦＰＣ１６と同じ大きさを有し、内側の空間部１５の周辺部に折り曲げ部１２ａが設けられている（図１４参照）。そして、磁性シート１２の折り曲げ部１２ａは、ＦＰＣ１６と基板８との隙間１７内に挿入される。【００５５】  図１３は、磁性シート１１と基板８及びＦＰＣ１６との配置関係を示す分解斜視図、図１４は、磁性シート１２と基板８及びＦＰＣ１６との配置関係を示す分解斜視図である。【００５６】  図１３において、磁性シート１１は、折り曲げ部１１ａを隙間１７内に挿入して配置することで、貼りずれを防止して、正確に配置することができる。【００５７】  図１４において、磁性シート１２は、内側に空間部１５が設けられているため、基板８に配置されている電子部品１０と重ならないように配置されている。【００５８】  図１５は、図１２のＣ−Ｃ線に沿って切断した一部切欠拡大断面図を示す。【００５９】  図１５において、磁性シート１１の周辺部と、磁性シート１２の空間部の周辺部とは、基板８とＦＰＣ１６との隙間１７に挿入されて重ね合わされ、重ね合わされた部分が接着剤（図示せず）等により固着されている。【００６０】  なお、上記実施の形態３では、基板８とＦＰＣ１６との隙間１７内で磁性シート１１、１２の周辺部同士を重ね合わせて接着した場合を例として説明したが、これに限定されるものではない。すなわち、図１６に示すように、磁性シート１１の周辺部をその隙間１７に挿入して貫通し、磁性シート１１の周辺部と磁性シート１２の内側の空間部の周辺部とを隙間１７の外部で接着してもよい。また、図１７に示すように、磁性シート１２の空間部の周辺部を隙間１７内に挿入して貫通し、磁性シート１２の周辺部と磁性シート１１の周辺部とを隙間１７の外部で接着してもよい。【００６１】  図１５に��すように、磁性シート１１及び磁性シート１２は、基板８とＦＰＣ１６との隙間１７を利用して、互いに重ね合わさるように配置されているため、アンテナ９と電子部品１０とを分離することができる。これにより、基板８のアンテナ９側と反対側の面上に配置された電子部品１０、電子回路配線及び電子回路ＧＮＤ等の金属物が、アンテナ９に及ぼす影響を抑止し、アンテナ９の通信距離を確保することができる。また、磁性シート１２により、下筐体３内に配置された携帯電話機用基板４上の金属シールドケース等に渦電流が発生して、アンテナ９内周部の磁界強度が減衰してしまうことを抑止し、アンテナ９の通信距離を確保することができる。さらに、アンテナ９をＦＰＣ１６に配置することにより、携帯電話機１の省スペース化を図ることができる。【００６２】  以上のように、本発明の実施の形態３の非接触通信用アンテナユニットを備えた移動体通信機器によれば、ＦＰＣ１６の空間部に、ＦＰＣ１６と隙間１７を設けて基板８を配置し、アンテナ９をＦＰＣ１６の面上に配置し、電子部品１０を、ＦＰＣ１６のアンテナ９が配置された側とは反対側の基板８の面上に配置し、隙間１７を利用して、アンテナ９と電子部品１０とを磁性シート１１及び磁性シート１２で分離するようにしたので、移動体通信機器の薄型化を図ることができると共に、通信距離性能の低下を抑止することができる。【００６３】  本発明を詳細にまた特定の実施態様を参照して説明したが、本発明の精神と範囲を逸脱することなく様々な変更や修正を加えることができることは当業者にとって明らかである。【００６４】  本出願は、２００５年８月２日出願の日本特許出願（特願２００５−２２３６５３）に基づくものであり、その内容はここに参照として取り込まれる。
【産業上の利用可能性】
【００６５】  以上のように、本発明にかかる非接触通信用アンテナユニット及びこれを備えた移動体通信機器は、移動体通信機器の薄型化を図ることができると共に、通信距離性能の低下を抑止することができるという効果を有し、非接触通信機能を備える携帯電話機等として有用である。
【図１】
2007015406.tif 000002
【図２】
2007015406.tif 000003
【図３】
2007015406.tif 000004
【図４】
2007015406.tif 000005
【図５】
2007015406.tif 000006
【図６】
2007015406.tif 000007
【図７】
2007015406.tif 000008
【図８】
2007015406.tif 000009
【図９】
2007015406.tif 000010
【図１０】
2007015406.tif 000011
【図１１】
2007015406.tif 000012
【図１２】
2007015406.tif 000013
【図１３】
2007015406.tif 000014
【図１４】
2007015406.tif 000015
【図１５】
2007015406.tif 000016
【図１６】
2007015406.tif 000017
【図１７】
2007015406.tif 000018
【手続補正書】
【提出日】平成19年5月3日(2007.5.3)
【手続補正１】
【補正対象書類名】特許請求の範囲
【補正対象項目名】全文
【補正方法】変更
【補正の内容】
【特許請求の範囲】
【請求項１】
非接触通信用基板と、
前記非接触通信用基板の一方の面上に配置された非接触通信用アンテナと、
前記非接触通信用基板の他方の面上に配置された非接触通信用電子部品と、
前記非接触通信用基板の一方の面上の前記非接触通信用アンテナの空間部に配置された第１の磁性シートと、
前記非接触通信用基板の他方の面上の前記非接触通信用電子部品の周辺部に配置された第２の磁性シートとを有するアンテナユニット。
【請求項２】
前記非接触通信用基板は、スリットを有し、
前記第１の磁性シート及び前記第２の磁性シートは、前記スリットを覆うように配置されたことを特徴とする請求項１記載の非接触通信用アンテナユニット。
【請求項３】
前記第２の磁性シートは、内側に空間部を有しており、
前記第１の磁性シートの周辺部及び前記第２の磁性シートの空間部の周辺部のうち少なくとも一方の周辺部を前記スリットに挿入し、前記第１の磁性シートの周辺部と前記第２の磁性シートの周辺部とを固着したことを特徴とする請求項２記載の非接触通信用アンテナユニット。
【請求項４】
内側に空間部を有するフレキシブル基板と、
前記フレキシブル基板の空間部内に隙間が生じるように配置された非接触通信用基板と、前記フレキシブル基板の一方の面上に配置された非接触通信用アンテナと、
前記非接触通信用基板の一方の面上に配置された第１の磁性シートと、
前記フレキシブル基板の他方の面と同一側に位置する前記非接触通信用基板の他方の面上に配置された非接触通信用電子部品と、
内側に空間部を有し、前記フレキシブル基板の他方の面上に配置された第２の磁性シートとを備え、
前記第１の磁性シートの周辺部及び前記第２の磁性シートの空間部の周辺部のうち少なくとも一方の周辺部を前記隙間に挿入し、前記第１の磁性シートの周辺部と前記第２の磁性シートの周辺部とを固着したことを特徴とする非接触通信用アンテナユニット。
【請求項５】
請求項１乃至４のいずれかに記載の非接触通信用アンテナユニットを有することを特徴とする移動体通信機器。
【請求項６】
前記移動体通信機器は、携帯電話機であることを特徴とする請求項５に記載の移動体通信機器。
【手続補正２】
【補正対象書類名】明細書
【補正対象項目名】全文
【補正方法】変更
【補正の内容】
【発明の詳細な説明】
【技術分野】
【０００１】
本発明は、非接触通信用アンテナユニット及びこれを備えた移動体通信機器に関するものである。
【背景技術】
【０００２】
近年、非接触通信機能を備えた移動体通信機器は、コンビニエンスストア等における代金の支払いや、遊園地や劇場等における入場証として利用されている。
【０００３】
このような移動体通信機器は、非接触通信機能を備えるために、非接触通信用アンテナユニットを内蔵しており、劇場等に設置されている外部非接触通信機器に内蔵されたリーダライタ用アンテナとの間で、双方向通信が行えるようになっている。
【０００４】
従来の移動体通信機器は、移動体通信機器の内部に配置されたシールドケースや金属部品等の影響を避けるために、軟磁性体電波吸収体に覆われた非接触通信用アンテナと、非接触通信用アンテナのために機能する電子部品とを異なる基板上に配置し、フレキシブル基材によって接続することで、非接触通信機能を動作させている（例えば、特許文献１参照）。
【特許文献１】特開２００４−１５３４６３号公報
【発明の開示】
【発明が解決しようとする課題】
【０００５】
しかしながら、従来の移動体通信機器においては、非接触通信用アンテナと、非接触通信用アンテナのために機能する電子部品や他の電子部品とを別基板上に配置し、フレキシブル基材によって接続する構造となっているため、移動体通信機器に内蔵するとスペースを取ってしまい、移動体通信機器が厚くなってしまうという課題があった。
【０００６】
本発明は、従来の問題を解決するためになされたもので、移動体通信機器の薄型化を図ることができると共に、通信距離性能の低下を抑止することのできる非接触通信用アンテナユニット及びこれを備えた移動体通信機器を提供することを目的とする。
【課題を解決するための手段】
【０００７】
本発明の非接触通信用アンテナユニットは、非接触通信用基板と、前記非接触通信用基板の一方の面上に配置された非接触通信用アンテナと、前記非接触通信用基板の他方の面上に配置された非接触通信用電子部品と、前記非接触通信用基板の一方の面上の前記非接触通信用アンテナの空間部に配置された第１の磁性シートと、前記非接触通信用基板の他方の面上の前記非接触通信用電子部品の周辺部に配置された第２の磁性シートとを備え、前記第１の磁性シート及び前記第２磁性シートが、前記非接触通信用アンテナと前記非接触通信用電子部品とを分離するように配置された構成を有する。
【０００８】
この構成により、移動体通信機器の薄型化を図ることができると共に、通信距離性能の低下を抑止することができる。
【０００９】
また、本発明の非接触通信用アンテナユニットは、前記非接触通信用基板が、スリットを有し、前記第１の磁性シート及び前記第２の磁性シートが、前記スリットを覆い、前記非接触通信用アンテナと前記非接触通信用電子部品とを分離するように配置された構成を有する。
【００１０】
この構成により、移動体通信機器の薄型化を図ることができると共に、通信距離性能の低下を抑止することができる。また、非接触通信用基板に磁性シートを配置する時に、スリットが目安となるため、磁性シートの貼りずれを防止することができ、非接触通信用アンテナユニットを容易に組み立てることができる。
【００１１】
また、本発明の非接触通信用アンテナユニットは、前記第２の磁性シートが、内側に空間部を有しており、前記第１の磁性シートの周辺部及び前記第２の磁性シートの空間部の周辺部のうち少なくとも一方の周辺部を前記スリットに挿入し、前記第１の磁性シートの周辺部と前記第２の磁性シートの周辺部とを固着した構成を有する。
【００１２】
この構成により、移動体通信機器の薄型化を図ることができると共に、通信距離性能の低下を抑止することができる。また、非接触通信用基板に磁性シート同士を固着するため、磁性シートの位置ずれを防止することができる。
【００１３】
また、本発明の非接触通信用アンテナユニットは、内側に空間部を有するフレキシブル基板と、前記フレキシブル基板の空間部内に隙間が生じるように配置された非接触通信用基板と、前記フレキシブル基板の一方の面上に配置された非接触通信用アンテナと、前記非接触通信用基板の一方の面上に配置された第１の磁性シートと、前記フレキシブル基板の他方の面と同一側に位置する前記非接触通信用基板の他方の面上に配置された非接触通信用電子部品と、内側に空間部を有し、前記フレキシブル基板の他方の面上に配置された第２の磁性シートとを備え、前記第１の磁性シートの周辺部及び前記第２の磁性シートの空間部の周辺部のうち少なくとも一方の周辺部を前記隙間に挿入し、前記第１の磁性シートの周辺部と前記第２の磁性シートの周辺部とを固着した構成を有する。
【００１４】
この構成により、移動体通信機器の薄型化を図ることができると共に、通信距離性能の低下を抑止することができる。
【００１５】
また、本発明の移動体通信機器は、前記非接触通信用アンテナユニットを備えた構成を有する。
【００１６】
この構成により、移動体通信機器の薄型化を図ることができると共に、非接触通信用アンテナに対する、移動体通信機器の内部に備えた金属物の影響を抑止することができ、通信距離性能の低下を抑止することができる。
【００１７】
また、本発明の移動体通信機器は、前記移動体通信機器が携帯電話機である構成を有する。
【００１８】
この構成により、携帯電話機の薄型化を図ることができると共に、非接触通信用アンテナに対する、携帯電話機の内部に備えた金属物の影響を抑止することができ、通信距離性能の低下を抑止することができる。
【発明の効果】
【００１９】
本発明は、移動体通信機器の薄型化を図ることができると共に、通信距離性能の低下を抑止することのできる非接触通信用アンテナユニット及びこれを備えた移動体通信機器を提供することができるものである。
【発明を実施するための最良の形態】
【００２０】
以下、本発明の実施の形態について、図面を用いて説明する。
【００２１】
（実施の形態１）
図２は、本発明の実施の形態１における非接触通信用アンテナユニットを備えた携帯電話機の例を示す図である。
【００２２】
図２において、移動体通信機器である携帯電話機１は、上筐体２と下筐体３とを有し、下筐体３内に携帯電話機として動作するために必要な電子部品及び金属シールドケースが配置された携帯電話機用基板４と、非接触通信を行うために必要な非接触通信用アンテナユニット５とを備えている。ここでは、折り畳み形状の携帯電話機を例として説明するが、これに限定されるものではなく、ストレート形状の携帯電話機や、上筐体と下筐体とが回転式、スライド式等の構成を有する携帯電話機でもよい。
【００２３】
外部非接触通信機器６は、非接触通信機能を備えた携帯電話１と非接触通信を行うためのリーダライタ用アンテナ７を備えている。
【００２４】
携帯電話機１は、通信相手である外部非接触通信機器６に近接することにより、非接触通信用アンテナユニット５とリーダライタ用アンテナ７とが磁気的に結合して、非接触通信を行う。
【００２５】
図３は、携帯電話機１の下筐体３内に備えられた非接触通信用アンテナユニット５の平面図を示す。
【００２６】
図３において、非接触通信用アンテナユニット５は、非接触通信用基板（以下、基板という）８、非接触通信用アンテナ（以下、アンテナという）９、非接触通信用電子部品（以下、電子部品という）１０、磁性シート１１及び磁性シート１２から構成されてい
る。
【００２７】
基板８において、図２のリーダライタ用アンテナ７との通信側の面上には、内側に空間部を有するアンテナ９が配置されており、そのアンテナ９の空間部に磁性シート１１が配置されている。一方、基板８のアンテナ９側と反対側の面上には、その中央部に電子部品１０が配置されており、その電子部品１０の周辺部に磁性シート１２が配置されている。
【００２８】
アンテナ９は、一般的に使用される渦巻き形状のループアンテナを用いている。ここで、ループアンテナのアンテナパターンの内側中央部に開いた部分を空間部という。また、アンテナ９のターン数として３ターンの場合を例示しているが、ターン数はこれに限定されるものではなく、３ターン以外でももちろんよい。
【００２９】
電子部品１０は、非接触通信用ＬＳＩ、非接触通信用ＬＳＩ発振子、抵抗、コンデンサ及びコイル等からなり、基板８の中央部に配置されている。
【００３０】
磁性シート１１、１２は、ここでは例として、近接型非接触通信用の通信周波数帯である１３．５６ＭＨｚ帯に対して最適な通信距離性能が得られる磁性粉末によって構成されているものとする。
【００３１】
図１は、図３におけるＡ−Ａ線に沿って切断した一部切欠拡大断面図を示す。
【００３２】
図１に示されているように、磁性シート１１及び磁性シート１２は、基板８を挟んで互いが重ね合わさる部分を設けて配置されているため、アンテナ９と電子部品１０とを分離することができる。これにより、基板８のアンテナ９側と反対側の面上に配置された電子部品１０、電子回路配線（図示せず）及び電子回路ＧＮＤ（図示せず）等の金属物が、アンテナ９に及ぼす影響を抑止し、アンテナ９の通信距離を確保することができる。また、磁性シート１２を用いて磁束を集束させることにより、下筐体３内に配置された携帯電話機用基板４上の金属シールドケース等に渦電流が発生して、アンテナ９内周部の磁界強度が減衰してしまうことを抑止し、アンテナ９の通信距離を確保することができる。
【００３３】
以上のように、本発明の実施の形態１の非接触通信用アンテナユニットを備えた移動体通信機器によれば、アンテナ９と電子部品１０とを同一の基板８上の反対側に配置し、アンテナ９と電子部品１０とを磁性シート１１及び磁性シート１２で分離するようにしたので、移動体通信機器の薄型化を図ることができると共に、通信距離性能の低下を抑止することができる。
【００３４】
（実施の形態２）
本発明の実施の形態２は、非接触通信用アンテナユニットを構成する非接触通信用基板にスリットを設ける場合を例として説明する。
【００３５】
図４は、本実施の形態２における非接触通信用アンテナユニット５の平面図を示す。なお、本実施の形態２の非接触通信用アンテナユニット５の各構成において、実施の形態１の非接触通信用アンテナユニット５の各構成と同一なものについては、同一の符号を付して説明を省略する。
【００３６】
図４に示すように、非接触通信用アンテナユニット５を構成する基板８には、スリット１３が複数設けられており、各スリット１３は、アンテナ９の内側で且つ電子部品１０の周囲に位置する場所に配置されている。
【００３７】
磁性シート１１は、基板８に設けられた各スリット１３を覆う大きさを有しており、その周辺部には切り込み１４により形成された折り曲げ部１１ａが複数設けられている（図５参照）。そして、磁性シート１１の折り曲げ部１１ａは、折線１１ｂから内側に折り曲げられて、スリット１３内にそれぞれ挿入される。
【００３８】
また、磁性シート１２は、図４において図示していないが、内側に空間部１５を有しており、基板８に設けられた全てのスリット１３を覆い、且つ外周が基板８と同じ大きさを有し、内側の空間部１５の周辺部には、切り込み１４により形成された折り曲げ部１２ａが複数設けられている（図６参照）。そして、磁性シート１２の折り曲げ部１２ａは、折線１２ｂから内側に折り曲げられ、各スリット１３内にそれぞれ挿入される。
【００３９】
図５は、基板８と磁性シート１１との配置関係を示す分解斜視図、図６は、基板８と磁性シート１２との配置関係を示す分解斜視図である。
【００４０】
図５において、磁性シート１１は、折り曲げ部１１ａを各スリット１３内に挿入して配置することで、基板８に対し、貼りずれを防止して、正確に配置することができる。
【００４１】
図６において、磁性シート１２は、内側に空間部１５が設けられているため、基板８に配置されている電子部品１０と重ならないように配置されている。
【００４２】
図７は、図４におけるＢ−Ｂ線に沿って切断した一部切欠拡大断面図を示す。
【００４３】
図７に示すように、磁性シート１１の折り曲げ部１１ａと、磁性シート１２の折り曲げ部１２ａとは、スリット１３内に挿入されて重ね合わされ、重ね合わされた部分が接着剤（図示せず）等により固着されている。
【００４４】
なお、上記実施の形態２では、スリット１３内で磁性シート１１、１２の折り曲げ部１１ａ、１２ａを重ね合わせて接着した場合を例として説明したが、これに限定されるものではない。すなわち、図８に示すように、磁性シート１１の折り曲げ部１１ａをスリット１３内に挿入して貫通し、磁性シート１１の折り曲げ部１１ａと磁性シート１２の空間部の周辺部とをスリット１３外で接着してもよい。また、図９に示すように、磁性シート１２の折り曲げ部１２ａをスリット１３内に挿入して貫通し、磁性シート１２の折り曲げ部１２ａと磁性シート１１の周辺部とをスリット１３外で接着してもよい。
【００４５】
なお、また、上記実施の形態２では、磁性シート１１、１２に切り込み１４を設けて折り曲げ部１１ａ、１２ａを形成した場合を例として説明したが、これに限定されるものではない。すなわち、図１０に示すように、切り込みを設けず、磁性シート１１の周辺部に凸部１１ｃを設けて、その凸部１１ｃをスリット１３内に挿入してもよい。また、図１１に示すように、磁性シート１２の空間部１５の周辺部に凸部１２ｃを設けて、その凸部１２ｃをスリット１３内に挿入してもよい。図５及び図６に示した切り込みを設けることにより、スリット内に挿入する磁性シートを容易に形成することができる。また、図１０及び図１１に示した凸部を設けることにより、スリット内に磁性シートを容易に挿入することができ、非接触通信用アンテナユニットを容易に組み立てることができる。
【００４６】
図７に示すように、磁性シート１１及び磁性シート１２は、スリット１３を利用して、互いに重ね合わさるように配置されているため、アンテナ９と電子部品１０とを分離することができる。これにより、基板８のアンテナ９側と反対側の面上に配置された電子部品１０、電子回路配線及び電子回路ＧＮＤ等の金属物が、アンテナ９に及ぼす影響を抑止し、アンテナ９の通信距離を確保することができる。また、磁性シート１２により、下筐体３内に配置された携帯電話機用基板４上の金属シールドケース等に渦電流が発生して、アンテナ９内周部の磁界強度が減衰してしまうことを抑止し、アンテナ９の通信距離を確保することができる。
【００４７】
以上のように、本発明の実施の形態２の非接触通信用アンテナユニットを備えた移動体通信機器によれば、アンテナ９と電子部品１０とを同一の基板８上の反対側に配置し、スリット１３を利用して、アンテナ９と電子部品１０とを磁性シート１１及び磁性シート１２で分離するようにしたので、移動体通信機器の薄型化を図ることができると共に、通信距離性能の低下を抑止することができる。
【００４８】
（実施の形態３）
本発明の実施の形態３は、非接触通信用アンテナをフレキシブルプリント基板に配置する場合を例として説明する。
【００４９】
図１２は、本実施の形態３における非接触通信用アンテナユニット５の平面図を示す。なお、本実施の形態３の非接触通信用アンテナユニット５の各構成において、実施の形態１の非接触通信用アンテナユニット５の各構成と同一なものについては、同一の符号を付して説明を省略する。
【００５０】
図１２に示すように、本実施の形態３では、内側に空間部を有するフレキシブルプリント基板（以下、ＦＰＣという）１６の面上にアンテナ９が配置されている。基板８は、ＦＰＣ１６の空間部に、ＦＰＣ１６と隙間１７を設けて配置され、ＦＰＣ１６上のアンテナ９と基板８上の電子部品１０とが半田付け等で接続されている。また、基板８には、ＦＰＣ１６のアンテナ９が配置された側とは反対側の面上に電子部品１０が配置されている。
【００５１】
磁性シート１１は、基板８とＦＰＣ１６との隙間１７を覆う大きさを有しており、その周辺部には切り込み１４により形成された折り曲げ部１１ａが設けられている（図１３参照）。そして、磁性シート１１の折り曲げ部１１ａは、周辺部が内側に折り曲げられて、その隙間１７に挿入される。
【００５２】
また、磁性シート１２は、図１２において図示していないが、内側に空間部１５を有しており、基板８とＦＰＣ１６との隙間１７を全て覆い、且つ外周がＦＰＣ１６と同じ大きさを有し、内側の空間部１５の周辺部に折り曲げ部１２ａが設けられている（図１４参照）。そして、磁性シート１２の折り曲げ部１２ａは、ＦＰＣ１６と基板８との隙間１７内に挿入される。
【００５３】
図１３は、磁性シート１１と基板８及びＦＰＣ１６との配置関係を示す分解斜視図、図１４は、磁性シート１２と基板８及びＦＰＣ１６との配置関係を示す分解斜視図である。
【００５４】
図１３において、磁性シート１１は、折り曲げ部１１ａを隙間１７内に挿入して配置することで、貼りずれを防止して、正確に配置することができる。
【００５５】
図１４において、磁性シート１２は、内側に空間部１５が設けられているため、基板８に配置されている電子部品１０と重ならないように配置されている。
【００５６】
図１５は、図１２のＣ−Ｃ線に沿って切断した一部切欠拡大断面図を示す。
【００５７】
図１５において、磁性シート１１の周辺部と、磁性シート１２の空間部の周辺部とは、基板８とＦＰＣ１６との隙間１７に挿入されて重ね合わされ、重ね合わされた部分が接着剤（図示せず）等により固着されている。
【００５８】
なお、上記実施の形態３では、基板８とＦＰＣ１６との隙間１７内で磁性シート１１、１２の周辺部同士を重ね合わせて接着した場合を例として説明したが、これに限定されるものではない。すなわち、図１６に示すように、磁性シート１１の周辺部をその隙間１７に挿入して貫通し、磁性シート１１の周辺部と磁性シート１２の内側の空間部の周辺部とを隙間１７の外部で接着してもよい。また、図１７に示すように、磁性シート１２の空間部の周辺部を隙間１７内に挿入して貫通し、磁性シート１２の周辺部と磁性シート１１の周辺部とを隙間１７の外部で接着してもよい。
【００５９】
図１５に示すように、磁性シート１１及び磁性シート１２は、基板８とＦＰＣ１６との隙間１７を利用して、互いに重ね合わさるように配置されているため、アンテナ９と電子部品１０とを分離することができる。これにより、基板８のアンテナ９側と反対側の面上に配置された電子部品１０、電子回路配線及び電子回路ＧＮＤ等の金属物が、アンテナ９に及ぼす影響を抑止し、アンテナ９の通信距離を確保することができる。また、磁性シート１２により、下筐体３内に配置された携帯電話機用基板４上の金属シールドケース等に渦電流が発生して、アンテナ９内周部の磁界強度が減衰してしまうことを抑止し、アンテナ９の通信距離を確保することができる。さらに、アンテナ９をＦＰＣ１６に配置することにより、携帯電話機１の省スペース化を図ることができる。
【００６０】
以上のように、本発明の実施の形態３の非接触通信用アンテナユニットを備えた移動体通信機器によれば、ＦＰＣ１６の空間部に、ＦＰＣ１６と隙間１７を設けて基板８を配置し、アンテナ９をＦＰＣ１６の面上に配置し、電子部品１０を、ＦＰＣ１６のアンテナ９が配置された側とは反対側の基板８の面上に配置し、隙間１７を利用して、アンテナ９と電子部品１０とを磁性シート１１及び磁性シート１２で分離するようにしたので、移動体通信機器の薄型化を図ることができると共に、通信距離性能の低下を抑止することができる。
【００６１】
本発明を詳細にまた特定の実施態様を参照して説明したが、本発明の精神と範囲を逸脱することなく様々な変更や修正を加えることができることは当業者にとって明らかである。
【００６２】
本出願は、2005年8月2日出願の日本特許出願（特願2005−223653）に基づくものであり、その内容はここに参照として取り込まれる。
【産業上の利用可能性】
【００６３】
以上のように、本発明にかかる非接触通信用アンテナユニット及びこれを備えた移動体通信機器は、移動体通信機器の薄型化を図ることができると共に、通信距離性能の低下を抑止することができるという効果を有し、非接触通信機能を備える携帯電話機等として有用である。
【図面の簡単な説明】
【００６４】
【図１】本発明の実施の形態１における非接触通信用アンテナユニットの一部切欠断面図
【図２】本発明の実施の形態１における非接触通信用アンテナユニットを備えた携帯電話機の使用例を示す図
【図３】本発明の実施の形態１における非接触通信用アンテナユニットの平面図
【図４】本発明の実施の形態２における非接触通信用アンテナユニットの平面図
【図５】本発明の実施の形態２における非接触通信用アンテナユニットをアンテナ側から見た場合の分解斜視図
【図６】本発明の実施の形態２における非接触通信用アンテナユニットをアンテナ側と反対側から見た場合の分解斜視図
【図７】本発明の実施の形態２における非接触通信用アンテナユニットの一部切欠断面図
【図８】本発明の実施の形態２における非接触通信用アンテナユニットの変形例の一部切欠断面図
【図９】本発明の実施の形態２における非接触通信用アンテナユニットの変形例の一部切欠断面図
【図１０】本発明の実施の形態２における非接触通信用アンテナユニットをアンテナ側から見た場合の変形例の分解斜視図
【図１１】本発明の実施の形態２における非接触通信用アンテナユニットをアンテナ側と反対側から見た場合の変形例の分解斜視図
【図１２】本発明の実施の形態３における非接触通信用アンテナユニットの平面図
【図１３】本発明の実施の形態３における非接触通信用アンテナユニットをアンテナ側から見た場合の分解斜視図
【図１４】本発明の実施の形態３における非接触通信用アンテナユニットをアンテナ側と反対側から見た場合の分解斜視図
【図１５】本発明の実施の形態３における非接触通信用アンテナユニットの一部切欠断面図
【図１６】本発明の実施の形態３における非接触通信用アンテナユニットの変形例の一部切欠断面図を示す図
【図１７】本発明の実施の形態３における非接触通信用アンテナユニットの変形例の一部切欠断面図を示す図
【符号の説明】
【００６５】
１    携帯電話機
２    上筐体
３    下筐体
４    携帯電話機用基板
５    非接触通信用アンテナユニット
６    外部非接触通信機器
７    リーダライタ用アンテナ
８    非接触通信用基板
９    非接触通信用アンテナ
１０    非接触通信用電子部品
１１    磁性シート
１２    磁性シート
１３    スリット
１４    切り込み
１５    磁性シート１２の空間部
１６    フレキシブルプリント基板
１７    隙間
【手続補正３】
【補正対象書類名】図面
【補正対象項目名】全図
【補正方法】変更
【補正の内容】
【図１】
2007015406.tif 000019
【図２】
2007015406.tif 000020
【図３】
2007015406.tif 000021
【図４】
2007015406.tif 000022
【図５】
2007015406.tif 000023
【図６】
2007015406.tif 000024
【図７】
2007015406.tif 000025
【図８】
2007015406.tif 000026
【図９】
2007015406.tif 000027
【図１０】
2007015406.tif 000028
【図１１】
2007015406.tif 000029
【図１２】
2007015406.tif 000030
【図１３】
2007015406.tif 000031
【図１４】
2007015406.tif 000032
【図１５】
2007015406.tif 000033
【図１６】
2007015406.tif 000034
【図１７】
2007015406.tif 000035
【国際調査報告】
2007015406.tif 000036
2007015406.tif 000037
2007015406.tif 000038
2007015406.tif 000039